(57)【要約】【課題】部分めっき装置の上側スパージャー内に、仕組まれたシャッター機構により、部分めっき装置でめっきされた、帯状フープ材料の上側めっき表面に、めっき液が塗布されるのを制御し、めっき表面品質を高めるものである。【解決手段】上側スパージャー１内に仕組まれたシャッター機構の固定窓プレート１８と可動窓プレート１９にスライド機構を設け、スライド機構を制御することで、帯状フープ材料１７上側に、めっきしない時は、めっき液を塗布（付着）しないように制御する。【選択図】図１
2006022361.tif 000002
【特許請求の範囲】
【請求項１】
帯状のフープ材料を上側のスパージャーと下側のスパージャーで挟み、めっきが必要な部分のみめっきを行う部分めっき装置において、上側スパージャーに蓄えられためっき液を、帯状のフープ材料に塗布させないシャッター機構を設けた部分めっき装置。
【請求項２】
上側スパージャーが部分めっきする時は、シャッターが開状態で、上側スパージャーと下側スパージャーが開き、帯状フープ材料を挟まない状態の時は、シャッターが閉状態になるように、シャッター開閉がコントロール出来るシャッター機構を有した請求項１記載の部分めっき装置。
【請求項３】
上側スパージャーに取付けられたシャッターは、開閉キーを設けエアーシリンダーでシャッター開閉がスライド出来るシャッター機構を有した請求項１記載の部分めっき装置。
【請求項４】
上側スパージャー内に格納したシャッターに対して、開閉用キー治具を軸に、上側スパージャーの外側に、開閉機構を設け上側スパージャーの外から、シャッター開閉が出来るシャッター機構を有した請求項１記載の部分めっき装置。
【発明の詳細な説明】
【技術分野】
【０００１】
本発明は、特に帯状のフープ材料に、部分めっきを行う部分めっき設備において、その上側スパージャー内に、めっき液漏れ止め用開閉シャッターを有する部分めっき装置に関するものである。
【背景技術】
【０００２】
従来、この種の部分めっき設備は、図３、図４及び図５に示されるような構成を有していた。
【０００３】
図４は、帯状フープ材料に部分めっきを行った概略図である。
【０００４】
図４において、１７は帯状フープ材料であり、この帯状フープ材料１７は、所定の形状にトリミングされている。１８は部分めっきを行った場所を示している。そして図４に示すように、帯状フープ材料１７に部分めっき１８を行う設備を、部分めっき設備（または装置）と言われている。
【０００５】
図３は、部分めっき設備の概略図である。
【０００６】
図３において、１２は鋼材等で作られた筐体である。９はめっき液を溜めるタンクであり、１３は配管で、５つのポンプにつなげられている。１４は配管で、２４は上側スパージャーユニットで、配管１４によりポンプ５と上側スパージャーユニット２４はつなげられている。ポンプ５を動作させることにより、上側スパージャーユニット２４にめっき液が供給されるようになっている。１５は配管で、ポンプ６につながれている。１６は配管、２５は下側スパージャーユニットで、配管１６によりポンプ６と下側スパージャーユニット２５は接続されている。ポンプ６を動作させることにより、下側スパージャーユニット２５にめっき液が供給されるようになっている。８はスライダで筐体１２と上側スパージャーユニット２４に取り付けられていて、７はシリンダーで筐体１２と上側スパージャーユニット２４に取り付けられている。１７は帯状フープ材料である。
【０００７】
図５は、従来の部分めっき設備の上下スパージャーの概略図である。
【０００８】
図５において、上側スパージャーユニット２４は、上側ブロック３と上側スパージャー１から構成されている。また、下側スパージャーユニット２５は、下側ブロック４と下側スパージャー２から構成されている。
【０００９】
以上のように構成された部分めっき設備について以下にその動作を説明する。
【００１０】
シリンダー７を動作させることにより、上側スパージャーユニット２４を所定の位置で上下出来るような構造になっている。１７は帯状フープ材料であり、この帯状フープ材料１７を下側スパージャーユニット２５とシリンダー７を動作させることにより上側スパージャーユニット２４で挟み、めっき液をポンプ５、ポンプ６を動作させ、上側スパージャーユニット２４、下側スパージャーユニット２５に供給し、帯状フープ材料１７の必要部分のみめっきを行うものである。
【００１１】
なお、この出願の発明に関する先行技術文献情報としては、例えば、特許文献１、特許文献２、特許文献３が知られている。
【特許文献１】特許第２５５１５３１号公報
【特許文献２】特開平９−１８４０９９号公報
【特許文献３】特開２０００−１１９８９３号公報
【発明の開示】
【発明が解決しようとする課題】
【００１２】
しかしながら、従来の部分めっき設備においては、上側スパージャーと下側スパージャーに、上側スパージャーに蓄えられためっき液が落下して発生する、帯状フープ材料の上側のめっき液のシミやめっき置換などの品質の問題を有していた。
【００１３】
本発明は、上記従来の課題を解決するものであり、上側スパージャー内にめっき液漏れシャッターを設け帯状フープ材料の品質課題をなくすようにした部分めっき設備を供給することを目的とするものである。
【課題を解決するための手段】
【００１４】
上記目的を達成するために、本発明は、以下の構成を有する。
【００１５】
本発明の請求項１に記載の発明は、特に、上側スパージャーに蓄えられためっき液を、帯状フープ材料に、めっき時間以外は塗布しないようにするシャッター機構を設けた部分めっき設備であり、めっきシミ、めっき置換などの品質課題をなくす作用効果が得られる。
【００１６】
本発明の請求項２に記載の発明は、特に、上側スパージャーが部分めっきする時は、シャッターが開状態でめっき液が塗出するように、上側スパージャーと下側スパージャーが開いた状態のめっきしない状態の時は、シャッターが閉状態になるようにシャッター開閉が調整出来るシャッター機構により、めっきシミ、めっき置換などを抑制し、めっき品質を向上することが出来るという作用効果が得られる。
【００１７】
本発明の請求項３に記載の発明は、特に、上側スパージャーに取り付けられたシャッターに、開閉するための開閉キー治具を設け、開閉用スライドシリンダーでシャッター開閉スライド出来るシャッター機構により、めっきシミ、めっき置換などを抑制し、めっき品質を向上することが出来るという作用効果が得られる。
【００１８】
本発明の請求項４に記載の発明は、特に、上側スパージャー内に格納したシャッターに対して開閉機構を設け、上側スパージャー外からシャッター開閉が出来るシャッター機構により、めっきシミ、めっき置換などを抑制し、めっき品質を向上することができるという作用効果が得られる。
【発明の効果】
【００１９】
本発明の部分めっき設備は、上側スパージャー内のシャッター機構により、帯状フープ材料に部分めっきを行った上側のめっき面に対して品質課題（めっき品質）となるめっきシミ、めっき置換を解決出来るとともに、部分めっき設備の、めっき飛び散り防止効果を奏するものである。
【発明を実施するための最良の形態】
【００２０】
（実施の形態１）
以下、実施の形態１を用いて、本発明の特に請求項１〜４に記載の発明について説明する。
【００２１】
図１は本発明の実施の形態１における部分めっき設備のスパージャー内シャッター開閉機構、概略図の例を示す図であり、上側スパージャーユニット内のシャッター機構の詳細図である。
【００２２】
図１において、１７は帯状フープ材料である。３は上側ブロックであり、１は上側スパージャーである。上側スパージャー１内に格納したシャッター機構は、固定窓プレート１８に可動窓プレート１９をスライドするように設置し、可動キー２０に可動用シリンダー２１から伝達した駆動により可動軸に伝わり、可動窓プレート１９をスライド出来るようになっている。
【００２３】
上側ブロック３と上側スパージャー１は上側仕切板２８で仕切られていて、別の室になっている。
【００２４】
また下側ブロック４と下側スパージャー２も下側仕切板２９で仕切られていて、別の室になっている。
【００２５】
実際に部分めっきをする際には、帯状フープ材料１７が、下側スパージャー２に密着して上側スパージャー１が下降してから、帯状フープ材料１７が上側スパージャー１と下側スパージャー２に挟まれ、めっき液が漏れないようにしてめっき液を塗出するようにし、部分めっきを行う。
【００２６】
上側スパージャー１の仕切られた室の中でめっき液が、ポンプ５の駆動で、上側ブロック３を通過し、上側スパージャー１に、めっき液が充満して固定窓２６と可動窓２７の位置が同一になった時に、部分めっきが出来るようになっている（図２（ａ））。
【００２７】
まためっきが終了した際には、上側スパージャー１が上昇して帯状フープ材料１７から離れる際には、可動窓プレート１９は、可動用シリンダー２１を駆動することでスライドして固定窓２６と可動窓２７が一致しない状態になり、めっき液を帯状フープ材料１７に塗布しない状態になることが出来る（図２（ｂ））。
【００２８】
以上のような構成において、部分めっきをする際、めっき液を塗出させる、あるいは、塗出させない状態を、上側スパージャー外側の可動用シリンダー２１の駆動で、制御することが出来る。
【００２９】
このように帯状フープ材料１７に、部分めっきする時以外は、めっき液を塗布しないようにすることで、めっき仕上がり品質を高めることが出来る効果が得られる。また部分めっき設備の調整時間（めっき液が飛び散ることでの各部品の動作不良）を短縮できる効果が得られる。
【産業上の利用可能性】
【００３０】
本発明の部分めっき装置は、上側スパージャー内のめっき液を、塗布するか塗布しないかを制御することができることにより、帯状フープ材料に行った部分めっきの上側にめっき液が付着（または塗布）しない状態を作ることができ、部分めっきの上側のシミ、置換という品質課題が解決できるとともに、部分めっき装置の調整作業の時間短縮が図れるという効果を有し、各種部分めっきを行う部分めっき設備として有用である。
【図面の簡単な説明】
【００３１】
【図１】本発明の部分めっき装置のスパージャー機構の概略図
【図２】（ａ），（ｂ）スパージャー内シャッター機構の状態図
【図３】部分めっき装置の概略図
【図４】（ａ），（ｂ）帯状フープ材料に部分めっきを行った概略図
【図５】従来の部分めっき設備のスパージャー機構概略図
【符号の説明】
【００３２】
１  上側スパージャー
２  下側スパージャー
３  上側ブロック
４  下側ブロック
５  上側ポンプ
６  下側ポンプ
７  シリンダー
８  スライダ
９  タンク
１０  受け
１１  配管
１２  筐体
１３  配管
１４  配管
１５  配管
１６  配管
１７  帯状フープ材料
１８  固定窓プレート
１９  可動窓プレート
２０  可動キー
２１  可動用シリンダー
２３  スパージャー外側用シリンダー箱
２４  上側スパージャーユニット
２５  下側スパージャーユニット
２６  固定窓
２７  可動窓
２８  上側仕切板
２９  下側仕切板
【図１】
2006022361.tif 000003
【図２】
2006022361.tif 000004
【図３】
2006022361.tif 000005
【図４】
2006022361.tif 000006
【図５】
2006022361.tif 000007